(57)【特許請求の範囲】
【請求項１】
無線通信システム内でページングメッセージをスケジューリングする方法であって、
アイドルモードの移動局のページンググループのページングパラメータをネゴシエートすることであって、前記ページングパラメータが、前記ページンググループ内の前記移動局の共通のリッスン間隔を備えること、
前記ページンググループ内の前記移動局をターゲットとするページングメッセージを受信すること、
前記ページンググループ内の前記移動局をある数のサブグループに分類すること、
前記共通のリッスン間隔内に前記ページングメッセージを送信する順序を決定することであって、前記順序が、前記ページンググループの異なるサブグループ内の前記移動局をターゲットとする前記ページングメッセージを送信する順番を指定すること、
ここにおいて、前記共通のリッスン間隔内に前記ページングメッセージを送信する前記順序を前記決定することが、
ターゲットとされた移動局のＭＡＣアドレスから生成されたＭＡＣアドレスハッシュ値に基づいて前記各ページングメッセージに関連するサブグループを決定すること、および
前記ターゲットとされた移動局の前記ＭＡＣアドレスハッシュ値と前記共通のリッスン間隔のインデックスとの和を前記サブグループの数で割った余りに基づいて前記サブグループの順序を決定することを備え、そして
基地局を用いて前記決定された順序で前記ページングメッセージを前記サブグループ別に送信することを備える方法。
【請求項２】
前記共通のリッスン間隔の開始フレームのフレーム番号に基づいて前記共通のリッスン間隔の前記インデックスが決定される、請求項１に記載の方法。
【請求項３】
移動局のサブグループの数を決定すること、および
移動局の前記数のサブグループの１つまたは複数にサブグループの前記数を送信すること
をさらに備える、請求項１に記載の方法。
【請求項４】
無線通信システム内でページングメッセージをスケジューリングするための基地局であって、前記基地局が、
メモリと、
アイドルモードの移動局のページンググループのページングパラメータをネゴシエートし、ここで、前記ページングパラメータが、前記ページンググループ内の前記移動局の共通のリッスン間隔を備え、
前記ページンググループ内の前記移動局をターゲットとする前記ページングメッセージを受信し、
前記ページンググループ内の前記移動局をある数のサブグループに分類し、
前記共通のリッスン間隔内に前記ページングメッセージを送信する順序を決定し、ここで前記順序が、前記ページンググループの異なるサブグループ内の前記移動局をターゲットとする前記ページングメッセージを送信する順番を指定し、
ここで、
ターゲットとされた移動局のＭＡＣアドレスから生成されたＭＡＣアドレスハッシュ値に基づいて前記各ページングメッセージに関連するサブグループを決定すること、および
前記ターゲットとされた移動局の前記ＭＡＣアドレスハッシュ値と前記共通のリッスン間隔のインデックスとの和を前記サブグループの数で割った余りに基づいて前記サブグループの順序を決定することにより、
前記共通のリッスン間隔内に前記ページングメッセージを送信する前記順序を決定し、そして
前記決定された順序で前記ページングメッセージを前記サブグループ別に送信するために構成され、前記メモリに結合された少なくとも１つのプロセッサとを備える基地局。
【請求項５】
前記共通のリッスン間隔の開始フレームのフレーム番号に基づいて前記共通のリッスン間隔の前記インデックスが決定される、請求項４に記載の基地局。
【請求項６】
前記少なくとも１つのプロセッサが、
移動局のサブグループの数を決定し、
移動局の前記数のサブグループの１つまたは複数にサブグループの前記数を送信するようにさらに構成されている、請求項４に記載の基地局。
【請求項７】
無線通信システム内でページングメッセージをスケジューリングするための装置であって、
アイドルモードの移動局のページンググループのページングパラメータをネゴシエートするための手段であって、前記ページングパラメータが、前記ページンググループ内の前記移動局の共通のリッスン間隔を備える、手段と、
前記ページンググループ内の前記移動局をターゲットとする前記ページングメッセージを受信するための手段と、
前記ページンググループ内の前記移動局をある数のサブグループに分類するための手段と、
前記共通のリッスン間隔内に前記ページングメッセージを送信する順序を決定するための手段であって、前記順序が、前記ページンググループの異なるサブグループ内の前記移動局をターゲットとする前記ページングメッセージを送信する順番を指定する、手段と、
ここにおいて、前記共通のリッスン間隔内に前記ページングメッセージを送信する前記順序を決定するための前記手段が、
ターゲットとされた移動局のＭＡＣアドレスから生成されたＭＡＣアドレスハッシュ値に基づいて前記各ページングメッセージに関連するサブグループを決定するための手段、および
前記ターゲットとされた移動局の前記ＭＡＣアドレスハッシュ値と前記共通のリッスン間隔のインデックスとの和を前記サブグループの数で割った余りに基づいて前記サブグループの順序を決定するための手段を備え、そして
前記決定された順序で前記ページングメッセージを前記サブグループ別に送信するための手段とを備える装置。
【請求項８】
前記共通のリッスン間隔のインデックスが、前記共通のリッスン間隔の開始フレームのフレーム番号に基づいて決定される、請求項７に記載の装置。
【請求項９】
移動局のサブグループの数を決定するための手段と、
移動局の前記数のサブグループの１つまたは複数にサブグループの前記数を送信するための手段と
をさらに備える、請求項７に記載の装置。
【請求項１０】
１つまたは複数のプロセッサによって実行可能な命令を備える、無線通信システム内でページングメッセージをスケジューリングするためのコンピュータプログラムであって、前記命令が、
アイドルモードの移動局のページンググループのページングパラメータをネゴシエートするための命令であって、前記ページングパラメータが、前記ページンググループ内の前記移動局の共通のリッスン間隔を備える、命令と、
前記ページンググループ内の前記移動局をターゲットとする前記ページングメッセージを受信するための命令と、
前記ページンググループ内の前記移動局をある数のサブグループに分類するための命令と、
前記共通のリッスン間隔内に前記ページングメッセージを送信する順序を決定するための命令であって、前記順序が、前記ページンググループの異なるサブグループ内の移動局をターゲットとする前記ページングメッセージを送信する順番を指定する、命令と、
ここで、前記共通のリッスン間隔内に前記ページングメッセージを送信する前記順序を決定するための前記命令が、
ターゲットとされた移動局のＭＡＣアドレスから生成されたＭＡＣアドレスハッシュ値に基づいて前記各ページングメッセージに関連するサブグループを決定するための命令、および
前記ターゲットとされた移動局の前記ＭＡＣアドレスハッシュ値と前記共通のリッスン間隔のインデックスとの和を前記サブグループの数で割った余りに基づいて前記サブグループの順序を決定するための命令を備え、そして
前記決定された順序で前記ページングメッセージを前記サブグループ別に送信するための命令と
を備える、コンピュータプログラム。
【請求項１１】
前記共通のリッスン間隔の前記インデックスが、前記共通のリッスン間隔の開始フレームのフレーム番号に基づいて決まる、請求項１０に記載のコンピュータプログラム。
【請求項１２】
前記１つまたは複数のプロセッサによって実行可能な命令が、
移動局のサブグループの数を決定するための命令と、
移動局の前記数のサブグループの１つまたは複数にサブグループの前記数を送信するための命令とをさらに備える、請求項１０に記載のコンピュータプログラム。
【発明の詳細な説明】
【技術分野】
【０００１】
本開示の特定の実施形態は、一般には、無線通信に関し、より詳細には、アイドルモード動作に関する。
【背景技術】
【０００２】
モバイルＷｉＭＡＸ規格は、移動局（ＭＳ：ｍｏｂｉｌｅ  ｓｔａｔｉｏｎ）が節電のためにコンポーネントの電源を切ることができ得るアイドルモードを定義している。アイドルモードでは、ＭＳは、ＭＳページング使用不可（「スリープ（sleep）」）間隔においてコンポーネントの電源を切っている間、繰り返されるＭＳページングリッスン（「リッスン（listening）」）間隔においてページメッセージについて監視するためにコンポーネントに電源投入する。
【０００３】
モバイルＷｉＭＡＸ網では、それぞれのＷｉＭＡＸフレームは、ゼロから再開する前、最大数に達するまでフレームごとに増分する２４ビットのフレーム番号を有する。このフレーム番号は、周期的なページングサイクル内に何らかのページングオフセットで基地局（ＢＳ：Ｂａｓｅ  Ｓｔａｔｉｏｎ）が、いつＢＳブロードキャストページング（ＭＯＢ＿ＰＡＧ−ＡＤＶ）メッセージを送信すべきか決定するために使用できる。ＢＳのページングサイクルに同期させるために、ＭＳは、
【数１】
0005474990.tif 000002
【０００４】
のとき、フレーム番号ＮからＭＯＢ＿ＰＡＧ−ＡＤＶメッセージをリッスンし始めてよい。
【０００５】
それぞれのＭＯＢ＿ＰＡＧ−ＡＤＶメッセージは、１つまたは複数の２４ビットのＭＡＣアドレスハッシュ（すなわち、ターゲットとされたＭＳの完全４８ビットＭＡＣアドレスのハッシュ値として生成される）を含んでよい。ＭＳは、その２４ビットＭＡＣアドレスハッシュ（ＭＳ自体の４８ビットＭＡＣアドレスを用いて生成される）との一致を含むＭＯＢ＿ＰＡＧ−ＡＤＶメッセージを見るとき、このＭＯＢ＿ＰＡＧ−ＡＤＶメッセージがＭＳ自体に宛てられていることを知る。
【０００６】
残念ながら、ＭＳは、ＭＯＢ＿ＰＡＧ−ＡＤＶメッセージがＭＳのＭＡＣアドレスハッシュとの一致を含むかどうか判断するためにページングリッスン間隔全体に渡って目覚めたままでいる必要がある。ＷｉＭＡＸ規格によれば、ページングリッスン間隔Ｌは、５フレームの長さであってよく、それによって、ＭＳがページングされない場合には電力消費の面でかなりの浪費が生じることがある。
【発明の概要】
【０００７】
本開示の特定の実施形態は、無線通信システム内でページングメッセージをスケジューリングする方法を提供する。この方法は一般に、アイドルモードの移動局のグループのページングパラメータをネゴシエートすることであって、ページングパラメータが、グループ内の移動局の共通のリッスン間隔を備えること、グループ内の移動局をターゲットとするページングメッセージを受信すること、リッスン間隔内にページングメッセージを送信する順序を決定することであって、順序が、それぞれ異なるグループ内の移動局をターゲットとするページングメッセージを送信する順番を指定すること、および決定された順序でページングメッセージをグループ別に送信することとを含む。
【０００８】
本開示の特定の実施形態は、無線通信システム内で移動局によってページングメッセージについて監視する方法を提供する。この方法は一般に、現在のリッスン間隔の間、ページングメッセージについて監視するためにアイドルモードの低電力状態から出ること、移動局のグループ番号を決定すること、現在のリッスン間隔内にページングメッセージを受信するグループ番号順を決定すること、およびその移動局をターゲットとしておらず、また決定されたグループ番号順において、その移動局について決定されたグループ番号より後に生じるグループ内の移動局をターゲットとしている移動体ページ広告メッセージをリッスン間隔内のフレームが含むと決定することに応答して、現在のリッスン間隔の終了前に低電力状態に戻ることを含む。
【０００９】
本開示の特定の実施形態は、無線通信システム内でページングメッセージをスケジューリングするための装置を提供する。この装置は一般に、アイドルモードの移動局のグループのページングパラメータをネゴシエートするための論理であって、ページングパラメータが、グループ内の移動局の共通のリッスン間隔を備える、論理と、グループ内の移動局をターゲットとするページングメッセージを受信するための論理と、リッスン間隔内にページングメッセージを送信する順序を決定するための論理であって、順序が、それぞれ異なるグループ内の移動局をターゲットとするページングメッセージを送信する順番を指定する、論理と、決定された順序でページングメッセージをグループ別に送信するための論理とを含む。
【００１０】
本開示の特定の実施形態は、無線通信システム内で移動局によってページングメッセージについて監視するための装置を提供する。この装置は一般に、現在のリッスン間隔の間、ページングメッセージについて監視するためにアイドルモードの低電力状態から出るための論理と、移動局のグループ番号を決定するための論理と、現在のリッスン間隔内にページングメッセージを受信するグループ番号順を決定するための論理と、その移動局をターゲットとしておらず、また決定されたグループ番号順において、その移動局について決定されたグループ番号より後に生じるグループ内の移動局をターゲットとしている移動体ページ広告メッセージをリッスン間隔内のフレームが含むと決定することに応答して、現在のリッスン間隔の終了前に低電力状態に戻るための論理とを含む。
【００１１】
本開示の特定の実施形態は、無線通信システム内でページングメッセージをスケジューリングするための装置を提供する。この装置は一般に、アイドルモードの移動局のグループのページングパラメータをネゴシエートするための手段であって、ページングパラメータが、グループ内の移動局の共通のリッスン間隔を備える、手段と、グループ内の移動局をターゲットとするページングメッセージを受信するための手段と、リッスン間隔内にページングメッセージを送信する順序を決定するための手段であって、順序が、それぞれ異なるグループ内の移動局をターゲットとするページングメッセージを送信する順番を指定する、手段と、決定された順序でページングメッセージをグループ別に送信するための手段とを含む。
【００１２】
本開示の特定の実施形態は、無線通信システム内で移動局によってページングメッセージについて監視するための装置を提供する。この装置は一般に、現在のリッスン間隔の間、ページングメッセージについて監視するためにアイドルモードの低電力状態から出るための手段と、移動局のグループ番号を決定するための手段と、現在のリッスン間隔内にページングメッセージを受信するグループ番号順を決定するための手段と、その移動局をターゲットとしておらず、また決定されたグループ番号順において、その移動局について決定されたグループ番号より後に生じるグループ内の移動局をターゲットとしている移動体ページ広告メッセージをリッスン間隔内のフレームが含むと決定することに応答して、現在のリッスン間隔の終了前に低電力状態に戻るための手段とを含む。
【００１３】
本開示の特定の実施形態は、１つまたは複数のプロセッサによって実行可能な命令がその中に格納されたコンピュータ読取り可能媒体を備える、無線通信システム内でページングメッセージをスケジューリングするためのコンピュータプログラム製品を提供する。命令は一般に、アイドルモードの移動局のグループのページングパラメータをネゴシエートするための命令であって、ページングパラメータが、グループ内の移動局の共通のリッスン間隔を備える、命令と、グループ内の移動局をターゲットとするページングメッセージを受信するための命令と、リッスン間隔内にページングメッセージを送信する順序を決定するための命令であって、順序が、それぞれ異なるグループ内の移動局をターゲットとするページングメッセージを送信する順番を指定する、命令と、決定された順序でページングメッセージをグループ別に送信するための命令とを含む。
【００１４】
本開示の特定の実施形態は、１つまたは複数のプロセッサによって実行可能な命令がその中に格納されたコンピュータ読取り可能媒体を備える、無線通信システム内で移動局によってページングメッセージについて監視するためのコンピュータプログラム製品を提供する。命令は一般に、現在のリッスン間隔の間、ページングメッセージについて監視するためにアイドルモードの低電力状態から出るための命令と、移動局のグループ番号を決定するための命令と、現在のリッスン間隔内にページングメッセージを受信するグループ番号順を決定するための命令と、その移動局をターゲットとしておらず、また決定されたグループ番号順において、その移動局について決定されたグループ番号より後に生じるグループ内の移動局をターゲットとしている移動体ページ広告メッセージをリッスン間隔内のフレームが含むと決定することに応答して、現在のリッスン間隔の終了前に低電力状態に戻るための命令とを含む。
【００１５】
一部の実施形態では、１つまたは複数の要約段落で上記に提示された、ぺージングメッセージを送信することが、電気電子学会（ＩＥＥＥ：Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６規格ファミリーの１つまたは複数の規格に従ってページングメッセージを送信することを含む。
【００１６】
本開示の上記特徴を詳細に理解できるように、上記に簡潔に要約されたより詳細な説明が、添付の図面にその一部が示されている実施形態を参照することによって得ることができ得る。しかし、この説明が他の同様に有効な実施形態を認めるものであるので、添付の図面は、本開示の特定の典型的な実施形態を示すものにすぎず、したがって、その範囲を限定するものと見なすべきでないことに留意されたい。
【図面の簡単な説明】
【００１７】
【図１】本開示の特定の実施形態による、例示的な無線通信システムを示す図。
【図２】本開示の特定の実施形態による、無線デバイス内で使用でき得る様々なコンポーネントを示す図。
【図３】本開示の特定の実施形態による、直交周波数分割多重および直交周波数分割多元接続（ＯＦＤＭ／ＯＦＤＭＡ：ｏｒｔｈｏｇｏｎａｌ  ｆｒｅｑｕｅｎｃｙ−ｄｉｖｉｓｉｏｎ  ｍｕｌｔｉｐｌｅｘｉｎｇ  ａｎｄ  ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）技術を使用する無線通信システム内で使用でき得る例示的な送信機および例示的な受信機を示す図。
【図４】アイドルモードに関してリッスン間隔の開始フレームと、スリープ間隔と、ページングサイクルと、ページングオフセットとの間の関係を示す図。
【図５Ａ】本開示の実施形態による、ページングサイクル、および移動局ページンググループ間で標準化されたページングオフセット値を有するページング間隔パラメータを示す図。
【図５Ｂ】本開示の実施形態による、ページングサイクル、および移動局ページンググループ間で標準化されたページングオフセット値を有するページング間隔パラメータを示す図。
【図６】本開示の実施形態による、ページング移動局のための例示的な動作を示す図。
【図６Ａ】図６の動作を実施できる例示的なコンポーネントを示す図。
【図７】本開示の実施形態による、ページングメッセージを検出するための例示的な動作を示す図。
【図８Ａ】本開示の実施形態による、移動局がどのようにリッスン間隔終了前に早く低電力状態に戻ることが可能であり得るか示す図。
【図８Ｂ】本開示の実施形態による、移動局がどのようにリッスン間隔終了前に早く低電力状態に戻ることが可能であり得るか示す図。
【図８Ｃ】本開示の実施形態による、移動局がどのようにリッスン間隔終了前に早く低電力状態に戻ることが可能であり得るか示す図。
【図８Ｄ】本開示の実施形態による、移動局がどのようにリッスン間隔終了前に早く低電力状態に戻ることが可能であり得るか示す図。
【発明を実施するための形態】
【００１８】
本開示の実施形態は、ＷｉＭＡＸ移動デバイスがリッスン間隔終了前に低電力状態に戻ることを可能にし、それによって電力消費を減少させ得るページングスケジュールを提供する。特定の実施形態では、ページングスケジュールは、標準化されたページングメッセージを使用して基地局によって制御することができ得、グループ内の特定のＭＳをターゲットとするページングメッセージが、リッスン間隔内に系統立てて提示される。したがって、このスケジュールを認識するＭＳは、リッスン間隔内にページングメッセージを、それが期待されるときに検出しない場合には、リッスン間隔終了前に低電力状態に速やかに戻ることができ得る。
【００１９】
例示的な無線通信システム
単語「例示的な」は、本明細書では、「例、事例または例証となる」ことを意味するために使用されている。本明細書で「例示的な」と述べられるいずれの実施形態も、他の実施形態よりも好ましいまたは有利であると必ずしも解釈すべきでない。
【００２０】
本明細書で述べられた技法は、直交多重方式に基づく通信システムを含めて、様々な広帯域無線通信システムで使用されてよい。こうした通信方式の例には、直交周波数分割多元接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式、単一搬送波周波数分割多元接続（ＳＣ−ＦＤＭＡ：Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式などが含まれる。ＯＦＤＭＡ方式は、システム帯域幅全体を複数の直交副搬送波に分割する変調法である直交周波数分割多重（ＯＦＤＭ）を使用する。これらの副搬送波は、トーン、ビンなどと呼ばれることもある。ＯＦＤＭでは、それぞれの副搬送波は、データでそれぞれ独立に変調されてよい。ＳＣ−ＦＤＭＡ方式は、インタリーブドＦＤＭＡ（ＩＦＤＭＡ：ｉｎｔｅｒｌｅａｖｅｄ  ＦＤＭＡ）を使用して、システム帯域幅に渡って分散された副搬送波上で送信し、局所型ＦＤＭＡ（ＬＦＤＭＡ：ｌｏｃａｌｉｚｅｄ  ＦＤＭＡ）を使用して、隣接した副搬送波のブロック上で送信し、または拡張型ＦＤＭＡ（ＥＦＤＭＡ）を使用して、隣接副搬送波の複数のブロック上で送信することができ得る。一般に、変調シンボルは、ＯＦＤＭでは周波数領域で、ＳＣ−ＦＤＭＡでは時間領域で送信される。
【００２１】
直交多重化方式に基づく通信方式の具体的な一例は、ＷｉＭＡＸ方式である。Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：マイクロ波アクセスのための世界規模相互運用性を表すＷｉＭＡＸは、長距離に渡って高スループット広帯域接続を提供する規格ベースの広帯域無線技術である。今日、ＷｉＭＡＸの２つの主要なアプリケーション、固定ＷｉＭＡＸおよびモバイルＷｉＭＡＸがある。固定ＷｉＭＡＸアプリケーションは、たとえば自宅および職場への広帯域アクセスを可能にするポイントツーマルチポイントである。モバイルＷｉＭＡＸは、広帯域の速度でセルラ網の完全な移動性を提供する。
【００２２】
ＩＥＥＥ  ８０２．１６ｘは、固定または移動広帯域無線アクセス（ＢＷＡ：ｂｒｏａｄｂａｎｄ  ｗｉｒｅｌｅｓｓ  ａｃｃｅｓｓ）方式のためのエアインターフェースを定義する新興の規格化組織である。これらの規格は、少なくとも４つの異なる物理層（ＰＨＹ）、および１つのメディアアクセス制御（ＭＡＣ）層を定義する。４つの物理層のうちのＯＦＤＭおよびＯＦＤＭＡ物理層は、それぞれ固定および移動ＢＷＡ領域で最も普及しているものである。
【００２３】
図１は、本発明の実施形態が使用されてよい無線通信システム１００の一例を示している。無線通信システム１００は、広帯域無線通信システムであってよい。無線通信システム１００は、それぞれが基地局１０４によってサービスされる複数のセル１０２のための通信を提供することができ得る。基地局１０４は、ユーザ端末１０６と通信する固定局であってよい。あるいは、基地局１０４は、アクセスポイント、Ｎｏｄｅ  Ｂ、または他の何らかの用語で呼ばれることがある。
【００２４】
図１は、システム１００全体に分散された様々なユーザ端末１０６を示している。ユーザ端末１０６は、固定されて（すなわち静止して）いることも、移動していることもある。あるいは、ユーザ端末１０６は、遠隔局、アクセス端末、端末、加入者装置、移動局、局、ユーザ機器などと呼ばれることがある。ユーザ端末１０６は、携帯電話、携帯情報端末（ＰＤＡ：ｐｅｒｓｏｎａｌ  ｄｉｇｉｔａｌ  ａｓｓｉｓｔａｎｔ）、手持ち式デバイス、無線モデム、ラップトップコンピュータ、パーソナルコンピュータなど、無線デバイスであってよい。
【００２５】
無線通信システム１００内の基地局１０４とユーザ端末１０６の間の伝送のために、様々なアルゴリズムおよび方法が使用されてよい。たとえば、信号は、ＯＦＤＭ／ＯＦＤＭＡ技法に従って基地局１０４とユーザ端末１０６の間で送受信されてよい。この場合、無線通信システム１００は、ＯＦＤＭ／ＯＦＤＭＡシステムと呼ばれることがある。
【００２６】
基地局１０４からユーザ端末１０６への送信を容易にする通信リンクは、ダウンリンク１０８と呼ばれてよく、ユーザ端末１０６から基地局１０４への送信を容易にする通信リンクは、アップリンク１１０と呼ばれることがある。あるいは、ダウンリンク１０８は、順方向リンクまたは順方向チャネルと呼ばれることがあり、アップリンク１１０は、逆方向リンクまたは逆方向チャネルと呼ばれることがある。
【００２７】
セル１０２は、複数のセクタ１１２に分割することができ得る。セクタ１１２は、セル１０２内の物理的なサービスエリアである。無線通信システム１００内の基地局１０４は、セル１０２の特定のセクタ１１２内に電力の流れを集中させるアンテナを使用してよい。こうしたアンテナは、指向性アンテナと呼ばれることがある。
【００２８】
図２は、無線通信システム１００内で使用されてよい無線デバイス２０２で使用でき得る様々なコンポーネントを示している。無線デバイス２０２は、本明細書に述べられた様々な方法を実施するように構成されてよいデバイスの一例である。無線デバイス２０２は、基地局１０４であってもよいし、ユーザ端末１０６であってもよい。
【００２９】
無線デバイス２０２は、無線デバイス２０２の動作を制御するプロセッサ２０４を含んでよい。プロセッサ２０４は、中央制御装置（ＣＰＵ：ｃｅｎｔｒａｌ  ｐｒｏｃｅｓｓｉｎｇ  ｕｎｉｔ）と呼ばれることもある。読取り専用メモリ（ＲＯＭ：ｒｅａｄ−ｏｎｌｙ  ｍｅｍｏｒｙ）とランダムアクセスメモリ（ＲＡＭ：ｒａｎｄｏｍ  ａｃｃｅｓｓ  ｍｅｍｏｒｙ）の両方を含んでよいメモリ２０６は、プロセッサ２０４に命令およびデータを提供する。メモリ２０６の一部は、不揮発性ランダムアクセスメモリ（ＮＶＲＡＭ：ｎｏｎ−ｖｏｌａｔｉｌｅ  ｒａｎｄｏｍ  ａｃｃｅｓｓ  ｍｅｍｏｒｙ）を含むこともでき得る。プロセッサ２０４は典型的に、メモリ２０６内に格納されたプログラム命令に基づいて論理および算術演算を実施する。メモリ２０６内の命令は、本明細書に述べられた諸方法を実施するように実行可能であってよい。
【００３０】
無線デバイス２０２は、無線デバイス２０２と遠隔地の間のデータの送受信を可能にする送信機２１０と受信機２１２とを含むことができ得る筺体２０８を含むこともでき得る。送信機２１０と受信機２１２は組み合わせて、トランシーバ２１４にすることができ得る。アンテナ２１６は、筺体２０８に取り付けられ、トランシーバ２１４に電気的に結合されてよい。無線デバイス２０２は、（図示されていない）複数の送信機、複数の受信機、複数のトランシーバ、および／または複数のアンテナを含むこともでき得る。
【００３１】
無線デバイス２０２は、トランシーバ２１４によって受信された信号レベルを検出し定量化するために使用され得る信号検出器２１８を含むこともでき得る。信号検出器２１８は、こうした信号を、総エネルギー、擬似雑音（ＰＮ：ｐｓｅｕｄｏｎｏｉｓｅ）チップごとのパイロットエネルギー、電力スペクトル密度および他の信号として検出することができ得る。無線デバイス２０２は、信号の処理で使用されるディジタル信号プロセッサ（ＤＳＰ：ｄｉｇｉｔａｌ  ｓｉｇｎａｌ  ｐｒｏｃｅｓｓｏｒ）２２０を含むこともでき得る。
【００３２】
無線デバイス２０２の様々なコンポーネントは、データバスに加えて電力バス、制御信号バスおよびステータス信号バスを含み得るバスシステム２２２によって互いに結合されてよい。
【００３３】
図３は、ＯＦＤＭ／ＯＦＤＭＡを使用する無線通信システム１００内で使用されてよい送信機３０２の一例を示している。送信機３０２の一部は、無線デバイス２０２の送信機２１０で実装されてよい。送信機３０２は、ダウンリンク１０８でユーザ端末１０６にデータ３０６を送信するために基地局１０４で実装されてよい。送信機３０２は、アップリンク１１０で基地局１０４にデータ３０６を送信するためにユーザ端末１０６で実装することもでき得る。
【００３４】
送信されるデータ３０６は、直並列（Ｓ／Ｐ：ｓｅｒｉａｌ−ｔｏ−ｐａｒａｌｌｅｌ）コンバータ３０８への入力として提供されるように示されている。Ｓ／Ｐコンバータ３０８は、送信データを、Ｎ個の並列データストリーム３１０へと分割することができ得る。
【００３５】
次いで、Ｎ個の並列データストリーム３１０は、マッパー（mapper）３１２への入力として提供されてよい。マッパー３１２は、Ｎ個の並列データストリーム３１０をＮ個のコンステレーションポイントにマップすることができ得る。マッピングは、二位相偏移変調（ＢＰＳＫ：ｂｉｎａｒｙ  ｐｈａｓｅ−ｓｈｉｆｔ  ｋｅｙｉｎｇ）、四位相偏移変調（ＱＰＳＫ：ｑｕａｄｒａｔｕｒｅ  ｐｈａｓｅ−ｓｈｉｆｔ  ｋｅｙｉｎｇ）、八位相偏移変調（８ＰＳＫ：８  ｐｈａｓｅ−ｓｈｉｆｔ  ｋｅｙｉｎｇ）、直交振幅変調（ＱＡＭ：ｑｕａｄｒａｔｕｒｅ  ａｍｐｌｉｔｕｄｅ  ｍｏｄｕｌａｔｉｏｎ）など、何らかの変調コンステレーションを使用して行うことができ得る。したがって、マッパー３１２は、Ｎ個の並列シンボルストリーム３１６を出力することができ得、それぞれのシンボルストリーム３１６が、逆高速フーリエ変換（ＩＦＦＴ：ｉｎｖｅｒｓｅ  ｆａｓｔ  Ｆｏｕｒｉｅｒ  ｔｒａｎｓｆｏｒｍ）３２０のＮ個の直交副搬送波のうちの１つに対応する。これらのＮ個の並列シンボルストリーム３１６は、周波数領域で表され、ＩＦＦＴコンポーネント３２０によって、Ｎ個の並列時間領域サンプルストリーム３１８に変換されてよい。
【００３６】
次に、用語に関して簡潔に言及する。周波数領域のＮ並列変調は、周波数領域のＮ変調シンボルに等しく、このＮ変調シンボルは、周波数領域のＮマッピングおよびＮポイントＩＦＦＴに等しく、このＮマッピングおよびＮポイントＩＦＦＴは、時間領域の１つの（有用）ＯＦＤＭシンボルに等しく、このＯＦＤＭシンボルは、時間領域のＮサンプルに等しい。時間領域の１つのＯＦＤＭシンボル、Ｎsは、Ｎcp（ＯＦＤＭシンボル当たりのガードサンプル数）＋Ｎ（ＯＦＤＭシンボル当たりの有用サンプル数）に等しい。
【００３７】
Ｎ並列時間領域サンプルストリーム３１８は、並直列（Ｐ／Ｓ）コンバータ３２４によってＯＦＤＭ／ＯＦＤＭＡシンボルストリーム３２２に変換することができ得る。ガード挿入コンポーネント３２６は、ＯＦＤＭ／ＯＦＤＭＡシンボルストリーム３２２内の連続したＯＦＤＭ／ＯＦＤＭＡシンボル間にガードインターバルを挿入することができ得る。次いで、ガード挿入コンポーネント３２６の出力は、無線周波数（ＲＦ：ｒａｄｉｏ  ｆｒｅｑｕｅｎｃｙ）フロントエンド３２８によって所望の送信周波数帯にアップコンバートされてよい。次いで、アンテナ３３０は、結果として生じる信号３３２を送信してよい。
【００３８】
図３は、ＯＦＤＭ／ＯＦＤＭＡを使用する無線デバイス２０２内で使用でき得る受信機３０４の一例も示している。受信機３０４の一部は、無線デバイス２０２の受信機２１２で実装されてよい。受信機３０４は、ダウンリンク１０８上で基地局１０４からデータ３０６を受信するためにユーザ端末１０６で実装されてよい。受信機３０４は、アップリンク１１０上でユーザ端末１０６からデータ３０６を受信するために基地局１０４で実装することもでき得る。
【００３９】
送信信号３３２は、無線チャネル３３４上を移動することが示されている。信号３３２’がアンテナ３３０’によって受信されるとき、受信信号３３２’は、ＲＦフロントエンド３２８’によってベースバンド信号にダウンコンバートされてよい。次いで、ガード削除コンポーネント３２６’は、ガード挿入コンポーネント３２６によってＯＦＤＭ／ＯＦＤＭＡ記号の間に挿入されたガードインターバルを削除することができ得る。
【００４０】
ガード削除コンポーネント３２６’の出力は、Ｓ／Ｐコンバータ３２４’に提供されてよい。Ｓ／Ｐコンバータ３２４’は、ＯＦＤＭ／ＯＦＤＭＡシンボルストリーム３２２’を、それぞれがＮ個の直交副搬送波のうちの１つに対応するＮ個の並列時間領域シンボルストリーム３１８’に分割することができ得る。高速フーリエ変換（ＦＦＴ）コンポーネント３２０’は、Ｎ個の並列時間領域シンボルストリーム３１８’を周波数領域に変換し、Ｎ個の並列周波数領域シンボルストリーム３１６’を出力することができ得る。
【００４１】
デマッパー３１２’は、マッパー３１２によって実施されたシンボルマッピング動作の逆を実施し、それによってＮ個の並列データストリーム３１０’を出力することでき得る。Ｐ／Ｓコンバータ３０８’は、Ｎ個の並列データストリーム３１０’を組み合わせて、単一のデータストリーム３０６’にすることができ得る。理想的には、このデータストリーム３０６’は、送信機３０２への入力として提供されたデータ３０６に対応する。要素３０８’、３１０’、３１２’、３１６’、３１８’および３２４’はすべて、ベースバンドプロセッサ３４０’内に見ることができ得ることに留意されたい。
【００４２】
モバイルＷｉＭＡＸシステム内の例示的な省電力手順
モバイルＷｉＭＡＸ規格は、移動局（ＭＳ）が節電のためにコンポーネントの電源を切ることができ得るアイドルモードを定義している。アイドルモードでは、ＭＳは、ＭＳページング使用不可（「スリープ」）間隔においてコンポーネントの電源を切っている間、繰り返されるＭＳページングリッスン（「リッスン」）間隔においてページメッセージについて監視するためにコンポーネントに電源投入する。繰り返されるリッスン間隔の間、ＭＳは、ＢＳブロードキャストページング（ＭＯＢ＿ＰＡＧ−ＡＤＶ）メッセージについて監視する。
【００４３】
アイドルモードに入る前に、ＭＳは、サービス側ＢＳと登録解除をネゴシエートすることができ得る。登録解除をネゴシエートする間、ＭＳとＢＳは、アイドルモードパラメータを交換して、ＭＳリッスン間隔をＢＳページング間隔に同期させることを可能にすることができ得る。アイドルモードパラメータは、たとえば、ＭＳ固有であってよいリッスンサイクルと、ＭＳ固有であってよいページングオフセットと、ＢＳのフレーム番号と、ＭＳがＭＯＢ＿ＰＡＧ−ＡＤＶメッセージのリッスンを開始でき得るフレーム番号Ｎとを含んでよい。
【００４４】
上式（１）によれば、ＭＳがＭＯＢ＿ＰＡＧ−ＡＤＶメッセージのリッスンを開始でき得るフレーム番号Ｎは、フレーム番号Ｎをページングサイクルのフレーム数で割った商の余りがページングオフセット（Ｎ  ｍｏｄ  Ｐａｇｉｎｇ＿Ｃｙｃｌｅ）となるように求めることができ得、ただしページングオフセットは、上式（１）による、ＢＳによってページングメッセージが送信されるページングサイクル内のフレームである。
【００４５】
ローカルネットワークが、アイドルモードのＭＳに宛てられたデータトラヒックを受信するとき、アクセスサービスネットワークゲートウェイ（ＡＳＮ−ＧＷ）は、関連するページンググループ内のＢＳのすべてに、ページングされる１つまたは複数のＭＳの表示を含むＭＯＢ＿ＰＡＧ−ＡＤＶメッセージをブロードキャストするよう指示してよい。それぞれのＭＯＢ＿ＰＡＧ−ＡＤＶメッセージは、ページングされるＭＳを表示する１つまたは複数の２４ビットＭＡＣアドレスハッシュ（すなわち、ターゲットとされるＭＳの完全４８ビットＭＡＣアドレスのハッシュ値として生成される）を含んでよい。ＭＳは、その２４ビットＭＡＣアドレスハッシュ（ＭＳ自体の４８ビットＭＡＣアドレスを用いて生成される）との一致を含むＭＯＢ＿ＰＡＧ−ＡＤＶメッセージを見るとき、このＭＯＢ＿ＰＡＧ−ＡＤＶメッセージがＭＳ自体に宛てられていることを知る。
【００４６】
図４は、アイドルモード４３０に関してリッスン間隔４３４の開始フレームＮと、スリープ間隔４３２と、ページングサイクル５２０と、ページングオフセット５３０との間の関係を示している。それぞれ異なるＭＳについてページングサイクル、ページングオフセットおよびリッスン間隔継続時間Ｌが可変であり得ることによって、後続のリッスン間隔４３４の間、一様でないときにＢＳ４４０がＭＯＢ＿ＰＡＧ−ＡＤＶメッセージ４３６をブロードキャストすることになり得る。
【００４７】
ＭＳをターゲットとするＭＯＢ＿ＰＡＧ−ＡＤＶメッセージ４３６は、Ｌフレーム長のリッスン間隔（たとえば、リッスン間隔がフレームＮで開始すると仮定して、フレームＮ、Ｎ＋１、…Ｎ＋Ｌ−１）内のいずれかのフレーム番号で生じ得る。したがって、従来のシステムでは、ＭＳは典型的に、ＭＯＢ＿ＰＡＧ−ＡＤＶメッセージがＭＳのＭＡＣアドレスハッシュとの一致を含むかどうか判断するためにページングリッスン間隔全体に渡って目覚めたままでいる必要がある。ＷｉＭＡＸ規格によれば、ページングリッスン間隔Ｌは、５フレームの長さであってよく、それによって、ＭＳがページングされない場合には電力消費の面でかなりの浪費が生じることがある。
【００４８】
しかし、本開示の実施形態は、ＭＳがリッスン間隔終了前に低電力状態に戻ることを可能にするページング技法を提案する。特定の実施形態では、同じページンググループ内のすべてのＭＳについて、共通ページングリッスン間隔長を使用してよい。それぞれ異なるＭＳがそれぞれ異なるページングサイクル（Ｐａｇｉｎｇ＿Ｃｙｃｌｅ）値および／またはページングオフセット（Ｐａｇｉｎｇ  Ｏｆｆｓｅｔ）値を有し得るが、これらの値は、ページングリッスン間隔が、共通のページングリッスン間隔長（Ｐａｇｉｎｇ  Ｌｉｓｔｅｎｉｎｇ  ｌｎｔｅｒｖａｌ  Ｌｅｎｇｔｈ）（Ｌ）の倍数であるフレームで開始するように制御することができ得る。これによって、ＢＳがページブロードキャストメッセージを系統立ったやり方でスケジューリングでき得るやり方が促され得る。
【００４９】
図５は、それぞれのＭＳ  ４１０がそれぞれ異なるページングサイクルおよび／またはそれぞれ異なるページングオフセット値を有し得るが、ページングサイクル値５２０とページングオフセット値５３０の両方は、リッスン間隔Ｌの継続時間で完全に割り切れるように標準化でき得ることを示している。ページングサイクル値およびページングオフセット値のこの標準化は、すべてのＭＳについてのリッスン間隔４３４が、Ｌの倍数であるフレーム番号Ｎで開始でき得ることを示唆し得る。一般に、これは、数式２に示されるように捕捉することができ得る。
【数２】
0005474990.tif 000003
【００５０】
ただし、ｋは、リッスン間隔インデックスである。さらに、これによって、１組のフレーム｛ｋ＊Ｌ，ｋ＊Ｌ＋１…ｋ＊Ｌ＋Ｌ−１｝として表すことができ得るリッスン間隔４３４がもたらされ得る。
【００５１】
図６は、たとえばＷｉＭＡＸ  ＢＳ  ４４０によって、ＭＳがリッスン間隔終了前に低電力状態に戻ることを可能にするようにページングメッセージをスケジューリングするために実施でき得る例示的な動作６００を示している。
【００５２】
動作は６０２で開始し、ＢＳ  ４４０が、ＭＳ  ４１０と１組のアイドルモードページングパラメータをネゴシエートする。上述されたように、ページングパラメータは、ページングサイクル５２０と、ページングオフセット５３０と、リッスン間隔期間Ｌと、リッスン間隔開始フレームＮとを含んでよい。それぞれのＭＳ  ４１０は、それぞれ異なるページングサイクル５２０および／またはそれぞれ異なるページングオフセット値５３０を有し得るが、ＢＳ  ４４０は、共通のＢＳページンググループによってサービスされるすべてのＭＳが同一のリッスン間隔継続時間を有するように、リッスン間隔Ｌの継続時間を標準化することができ得る。さらに、ＢＳ  ４４０は、ページングサイクル５２０とページングオフセット値５３０の両方がリッスン間隔Ｌの継続時間で完全に割り切れるようにページングパラメータを標準化することができ得る。
【００５３】
６０４で、ＢＳ  ４４０は、共通のＢＳページンググループによってサービスされる１つまたは複数のＭＳをターゲットとする１つまたは複数のページングメッセージを（ネットワークから）受信してよい。６０６で、ＢＳ  ４４０は、たとえばＭＡＣアドレスハッシュ値、およびリッスン間隔４３４の第１のフレームのフレーム番号Ｎに基づいてＭＯＢ＿ＰＡＧ−ＡＤＶメッセージ４３６内のページングメッセージを送信する順序を決定してよい。後述されるように、順序は、リッスン間隔インデックスｋに基づいて決定することもでき得る。
【００５４】
６０８で、ＢＳ  ４４０は、リッスン間隔４３４の第１のフレームＮから始まる予め決定された順序で、ページングメッセージを含むＭＯＢ＿ＰＡＧ−ＡＤＶメッセージ４３６を送信してよい。上述されたように、それぞれのＭＯＢ＿ＰＡＧ−ＡＤＶメッセージは、１つまたは複数の２４ビットＭＡＣアドレスハッシュ値（すなわち、ＭＳ  ４１０の完全４８ビットＭＡＣアドレスのハッシュ値）を含んでよい。ＭＳ  ４１０は、２４ビットＭＡＣアドレスハッシュとＭＳ  ４１０自体の４８ビットＭＡＣアドレスとの間に一致を見る場合、このＭＯＢ＿ＰＡＧ−ＡＤＶ  ４３６がＭＳ  ４１０自体に宛てられていると決定することができ得る。
【００５５】
所与の間隔の例示的なページング順序
本開示の特定の実施形態は、共通のＢＳページンググループによってサービスされるＭＳを、Ｍ個のＭＡＣアドレスハッシュグループに分割することによってＢＳ  ４４０がＭＯＢ＿ＰＡＧ−ＡＤＶメッセージ４３６内のページングメッセージを送信する順序を決定することを可能にすることができ得る。Ｍ個のグループは、たとえば、ｈ  ｍｏｄ  Ｍなどの単純な数式に基づいて、ＭＳのＭＡＣアドレスハッシュ値ｈに基づくグループ０〜Ｍ−１にＭＳを置くことによって決定してよい。
【００５６】
特定の実施形態では、ＢＳとＭＳは、たとえばアイドルモードに入る前に実施される登録解除プロセスによってグループ番号Ｍについて合意することができ得る。たとえば、ＢＳは、登録解除要求に応答して、ＭＳにグループ番号Ｍを提供してよい。
【００５７】
次いで、ページングメッセージは、リッスン間隔内に、確立された順序で送信されてよい（一例として、グループ０内のＭＳが最初に送信され、グループ１内のＭＳが次に送信され、グループＭ−１まで行われる）。したがって、グループ０内のＭＳが、ＭＡＣアドレスハッシュの一致を含んでいないが、グループ１（後のグループ）のＭＳのＭＡＣアドレスハッシュを含んでいるＭＯＢ＿ＰＡＧ−ＡＤＶメッセージを所与のフレーム内で検出する場合、ＭＳは、ページングメッセージを見落とさないと分かり、速やかにスリープに戻ることができ得る。
【００５８】
特定の実施形態では、特定のＭＡＣアドレスハッシュについてのページングメッセージの確立された順序は、リッスン間隔インデックスｋに基づいて決定することもでき得る。このようにして、順序は、それぞれ異なるリッスン間隔に渡ってローテーションすることができ得る。あるリッスン間隔で１番目に送信されたＭＡＣアドレスハッシュは、後続のリッスン間隔で後に送信されてよく、したがって、確立された順序は、それぞれ異なるＭＡＣアドレスハッシュ値間で均等分布される。たとえば、ＢＳ  ４４０は、数式３によって示されるように、ＭＳのＭＡＣアドレスハッシュｈとリッスン間隔インデックスｋの和をＭＡＣアドレスハッシュグループの数Ｍで割った商の余りに基づいて、ＭＳアドレスハッシュグループの順序を決定してよい。
【数３】
0005474990.tif 000004
【００５９】
このような規則を使用して、ＭＳ  ＭＡＣアドレスハッシュグループが送信される順序は、リッスン間隔インデックスｋに基づいて変化し得る。
【００６０】
現在のリッスン間隔４３４の間に送信されるようにスケジュールされた、複数のＭＡＣアドレスハッシュを有するＭＯＢ＿ＰＡＧ−ＡＤＶメッセージでは、現在のリッスン間隔４３４の開始がフレーム番号ｋ＊Ｌから始まると仮定して、数式３で求められた、ｈ１に関連するＭＡＣアドレスグループ順序が、ｈ２に関連するＭＡＣアドレスグループ順序より小さい場合には、第１のＭＡＣアドレスハッシュｈ１は、第２のＭＡＣアドレスハッシュｈ２の前に送信されてよい。
【００６１】
たとえば、現在のリッスン間隔４３４の開始がフレーム０（すなわちＮ＝０）で始まる場合、リッスン間隔４３４の継続時間は４フレーム（すなわちＬ＝４）となるようにネゴシエートされ、ＭＡＣアドレスグループの数が３（すなわちＭ＝３）であると決定された場合、リッスン間隔インデックスｋは、開始フレームＮをリッスン間隔Ｌの継続時間で割った商をとることによって求めることができ得、それによってｋ＝０がもたらされる。
【００６２】
したがって、現在のリッスン間隔（たとえばＭＳ０、ＭＳ１およびＭＳ２）の間に送信される３つのＭＳへのページングメッセージがあり、ＭＳ０のＭＡＣアドレスハッシュ（すなわちｈ０）が９９９に等しく、ＭＳ１のＭＡＣアドレスハッシュ（すなわちｈ１）が１０００に等しく、ＭＳ２のＭＡＣアドレスハッシュ（すなわちｈ２）が１００１に等しいならば、移動局ＭＳ０、ＭＳ１およびＭＳ２のＭＡＣアドレスグループ順序は、それぞれ０、１および２となろう。したがって、ＭＳ０へのページングメッセージが最初に送信され、その後にＭＳ１へのページングメッセージが続き、次いでＭＳ２へのページングメッセージが続くであろう。
【００６３】
しかし、次のリッスン間隔４３４がフレーム１６（すなわちＮ＝１６）で開始し、リッスン間隔の継続時間が４フレーム（すなわち、Ｌ＝４）にとどまり、ＭＡＣアドレスグループの数が３（すなわちＭ＝３）にとどまるならば、リッスン間隔インデックスｋは４になろう。さらに、ＭＡＣアドレスハッシュ値ｈ０＝９９９、ｈ１＝１０００、ｈ２＝１００１を有する３つの同じＭＳ（すなわちＭＳ０、ＭＳ１およびＭＳ２）へのページングメッセージがあるならば、数式３で求められた、移動局ＭＳ０、ＭＳ１およびＭＳ２のＭＡＣアドレスグループ順序は、それぞれ１、２および０になろう。したがって、ＭＳ２へのページングメッセージが最初に送信され、その後にＭＳ０へのページングメッセージ、次にＭＳ１へのページングメッセージが続くであろう。
【００６４】
ＢＳ  ４４０がＭＯＢ＿ＰＡＧ−ＡＤＶメッセージ４３６内のページングメッセージを送信する順序を決定することを可能にすることによって、ＭＳ  ４１０は、リッスン間隔４３４の終了前に低電力状態に入ることを許され得る。たとえば、ＭＯＢ＿ＰＡＧ−ＡＤＶメッセージが受信され、現在のページングメッセージのＭＡＣアドレスハッシュグループ値が、ＭＳ  ４１０のＭＡＣアドレスハッシュグループ値より遅い順序のハッシュグループ値に対応するとＭＳ  ４１０が決定できる場合、ＭＳ  ４１０は、現在のリッスン間隔４３４の終了前に低電力状態４３２に速やかに戻ることができ得る。
【００６５】
換言すると、ＭＳ  ４１０のＭＡＣアドレスハッシュグループ値が、観察されたＭＡＣアドレスハッシュグループ値より時間的に早いものであり、ＭＳ  ４１０のＭＡＣアドレスハッシュグループ値への一致がなかったので、ＭＳ  ４１０は、リッスン間隔の後のフレームには一致がないことが分かる。したがって、ＭＳ  ４１０は、ページを見落とすというリスクを伴わず速やかにスリープに戻ることができ得る。
【００６６】
一部の実施形態は、さらにＢＳ  ４４０がリッスン間隔４３４内のＭＯＢ＿ＰＡＧ−ＡＤＶメッセージ４３６の送信のタイミングを標準化することを可能にすることもでき得る。たとえば、ＢＳ  ４４０は、ＭＯＢ＿ＰＡＧ−ＡＤＶメッセージ４３６の送信がリッスン間隔の第１のフレームＮの間に開始することを確立してよい。さらに、ＢＳ  ４４０は、ＭＯＢ＿ＰＡＧ−ＡＤＶメッセージ４３６への追加の内容があるが、ＢＳ  ４４０は現在のフレームで送信を完了できない場合には、リッスン間隔４３４のすぐ次のフレームの間に送信を継続してよいということを確立することができ得る。
【００６７】
したがって、ＭＳ  ４１０は、ＭＯＢ＿ＰＡＧ−ＡＤＶメッセージ４３６がないリッスン間隔４３４の間の期間に遭遇する場合、現在のリッスン間隔４３４の終了前に速やかに低電力状態４３２に戻ることができ得る。たとえば、ＭＳ  ４１０が目を覚まし、リッスン間隔４３４に入り、ＭＯＢ＿ＰＡＧ−ＡＤＶメッセージ４３６を受信しない場合、またはＭＳ  ４１０がＭＯＢ＿ＰＡＧ−ＡＤＶメッセージ４３６をリッスンし、送信が、リッスン間隔４３４の終了前に終了する場合、ＭＳ  ４１０は、速やかに低電力状態４３２に戻ることができ得る。
【００６８】
図７は、たとえば、リッスン間隔の間にＷｉＭＡＸ  ＭＳ  ４１０によって実施でき得る例示的な動作７００を示している。例示的な動作は、特に編成されたＭＯＢ＿ＰＡＧ−ＡＤＶメッセージ４３６を前提とすることができ得、したがってＭＳは、アイドルモードのリッスン間隔４３４の終了前に低電力状態４３２を再び入ることが適切かどうか判断することができ得る。
【００６９】
動作は、７０２で開始し、ＭＳ  ４１０が低電力状態４３２から目が覚め、リッスン間隔４３４を開始する。一部の実施形態では、ＭＳ  ４１０が低電力状態４３２に入る前に、１組のページングパラメータがネゴシエートされてよい。上述されたように、１組のページングパラメータは、ページングサイクル値５２０と、ページングオフセット値５３０と、リッスン間隔継続時間Ｌと、リッスン間隔４３４が開始するフレーム番号Ｎとを含んでよい。
【００７０】
７０４で、ＭＳ  ４１０は、ＭＳ  ４１０に関連する４８ビットＭＡＣアドレスに基づいて２４ビットＭＡＣアドレスハッシュを決定してよい。特定の実施形態では、２４ビットＭＡＣアドレスハッシュは、ＩＥＥＥ  ８０２．１６規格に従って生成してよい。たとえば、ＭＡＣアドレスハッシュは、ＭＳ  ４１０に関連する４８ビットＭＡＣアドレスに対して２４ビット巡回冗長検査（ＣＲＣ２４）を計算することによって得ることができ得る。
【００７１】
７０６で、ＭＳ  ４１０は、リッスン間隔インデックスｋに基づいて、現在のリッスン間隔４３４の間のＭ個のＭＡＣアドレスハッシュグループのローテンション順序を決定してよい。上述されたように、リッスン間隔インデックスｋは、リッスン間隔４３４の開始フレームＮをリッスン間隔Ｌの継続時間で割った商をとることによって求めることができ得る。次いで、ＭＳ  ４１０は、数式３で上記に述べられたようにローテンション順序を決定してよい。
【００７２】
動作７０４および７０６は、動作７００の間、任意の順序で実施してもよいし、動作７００の開始前に実施してもよいことに留意されたい。たとえば、ＭＳ  ４１０は、ネットワークに入り、ＭＡＣアドレスを受信すると、ＭＳ  ４１０のＭＡＣアドレスハッシュ値を計算してよい。さらに、ＭＳ  ４１０は、低電力状態４３２に入る前に、後続のリッスン間隔の間のＭＡＣアドレスハッシュグループのローテーション順序を決定してよい。
【００７３】
７０８で、ＭＳ  ４１０は、リッスン間隔４３４の現在のフレームを評価し、ＭＯＢ＿ＰＡＧ−ＡＤＶメッセージ４３６が、ＭＳ  ４１０に関連するＭＡＣアドレスハッシュに一致するＭＡＣアドレスハッシュを含むかどうか判断してよい。
【００７４】
リッスン間隔４３４内の現在のフレームが、ＭＳ  ４１０に関連するＭＡＣアドレスハッシュを有するＭＯＢ＿ＰＡＧ−ＡＤＶメッセージ４３６を含む場合は、ＭＳ  ４１０は、ＭＯＢ＿ＰＡＧ−ＡＤＶメッセージ４３６を処理し、７１０で、メッセージによって示されたアクションを実行してよい。
【００７５】
しかし、リッスン間隔４３４の現在のフレームが、ＭＳ  ４１０に関連するＭＡＣアドレスハッシュを有するＭＯＢ＿ＰＡＧ−ＡＤＶメッセージ４３６を含まない場合は、ＭＳ  ４１０は、リッスン間隔４３４の現在のフレームを評価し、７１２に示されたように、フレームがＭＯＢ＿ＰＡＧ−ＡＤＶメッセージ４３６を少しでも含んでいるかどうか決定してよい。
【００７６】
リッスン間隔４３４の現在のフレームがＭＯＢ＿ＰＡＧ−ＡＤＶメッセージ４３６を全く含まない場合は、７１４に示されたように、ＭＳ  ４１０は、リッスン間隔４３４の終了前に速やかに低電力状態に戻ることができ得る。これは、この実施例ではＢＳ  ４４０が、上述されたようにリッスン間隔４３４の第１のフレームＮから、残りの内容がなくなるまであらゆる後続フレームでＭＯＢ＿ＰＡＧ−ＡＤＶメッセージ４３４をブロードキャストすると仮定している。したがって、ＭＳ  ４１０は、現在のリッスン間隔４３４の現在のフレームの間にＭＯＢ＿ＰＡＧ−ＡＤＶメッセージ４３６が全くない場合には、現在のリッスン間隔４３４の間、ＢＳ  ４４０がＭＳ  ４１０に宛てられたメッセージを有さないと推定することができ得る。
【００７７】
しかし、７１６に示されたように、リッスン間隔４３４の現在のフレームがＭＯＢ＿ＰＡＧ−ＡＤＶメッセージ４３６を含む場合は、ＭＳ  ４１０は、現在のフレームを評価し、ローテーション順序でＭＳ  ４１０より後に位置するＭＡＣアドレスハッシュグループに対応するＭＡＣアドレスハッシュを有するＭＯＢ＿ＰＡＧ−ＡＤＶメッセージ４３６をこのフレームが含むかどうか判断してよい。
【００７８】
現在のフレームが、ローテーション順序でＭＳ  ４１０より後に位置するＭＡＣアドレスハッシュグループに対応するＭＡＣアドレスハッシュを有するＭＯＢ＿ＰＡＧ−ＡＤＶメッセージ４３６を含む場合、ＭＳ  ４１０は、７１４に示されたように、リッスン間隔４３４の終了前に速やかに低電力状態に戻ることができ得る。ＢＳ  ４４０が、ローテーション順序で後にあるＭＡＣアドレスハッシュグループのメッセージに進む前に、ＭＡＣアドレスハッシュグループに関連するページングメッセージのすべてをブロードキャストするので、ＭＳ  ４１０は、ローテーション順序でＭＳ  ４１０より後のＭＡＣアドレスハッシュグループに関連するページングメッセージがある場合には、現在のリッスン間隔４３４の間、ＭＳ  ４１０に宛てられたメッセージをＢＳ  ４４０が有さないと推定することができ得る。
【００７９】
しかし、７１８に示されたように、ローテーション順序でＭＳ  ４１０より後に位置するＭＡＣアドレスハッシュグループに対応するＭＡＣアドレスハッシュを有するＭＯＢ＿ＰＡＧ−ＡＤＶメッセージ４３６を現在のフレームが含まない場合は、ＭＳ  ４１０は、現在のフレームを評価し、現在のフレーム番号、開始フレーム番号Ｎ、およびリッスン間隔継続時間Ｌに基づいて、そのフレームがリッスン間隔４３４の最後のフレームかどうか決定することができ得る。
【００８０】
リッスン間隔４３４の現在のフレームが最後のフレームでない場合は、ＭＳ  ４１０は、リッスン間隔４３４の次のフレームに進んで、動作７０８〜７１８を繰り返してよい。しかし、現在のフレームがリッスン間隔４３４の最後のフレームである場合は、ＭＳ  ４１０は、７２０で、（たとえば従来の時間に）低電力状態４３２に戻ることができ得る。
【００８１】
動作７０８、７１２および７１６は、どんな順序で実施してもよいことに留意されたい。たとえば、ＭＳ  ４１０は、ＭＯＢ＿ＰＡＧ−ＡＤＶメッセージ４３６が、ＭＳ  ４１０のＭＡＣアドレスハッシュに一致するＭＡＣアドレスハッシュを有するページングメッセージを含むかどうか判断する前に、現在のフレームがＭＯＢ＿ＰＡＧ−ＡＤＶメッセージ４３６を一体含むかどうか判断してよい。
【００８２】
図８Ａ〜Ｄは、図７の動作を参照して上述された様々なシナリオを示している。それらの例は、特定のシナリオにおいてＭＳ  ４１０のリッスン間隔がどのように事実上短縮され、従来のリッスン間隔に割り当てられた時間の終了前にＭＳ  ４１０がスリープに戻ることを可能にでき得るか示している。それらの例はそれぞれ、ＭＳ  ４１０が「Ｈ」のＭＡＣアドレスハッシュ値を有すると仮定している。
【００８３】
図８Ａは、ＭＳ  ４１０が「Ｈ」のＭＡＣハッシュ値およびリッスン間隔インデックスｋに基づいて、ＭＳ  ４１０が現在のリッスン間隔４３４の間、ＭＡＣアドレスハッシュグループ０に属すると決定する一例を示している。ＭＳ  ４１０は、現在のリッスン間隔４３４のローテーション順序が［グループ０、グループ１、グループ２］であると決定することも可能であり得る。しかし、ＭＳ  ４１０は、リッスン間隔４３４の第１のフレームＮの間、ＭＯＢ＿ＰＡＧ−ＡＤＶメッセージ４３６がないことを検出する。したがって、ＭＳ  ４１０は、第１のフレームＮの後、速やかに低電力状態４３２に戻ることができる。
【００８４】
図８Ｂもやはり、ＭＳ  ４１０が現在のリッスン間隔４３４の間、ＭＡＣアドレスハッシュグループ０に属すると仮定している。図８Ａとは対照的に、この例では、ＭＳ  ４１０は、リッスン間隔４３４の第１のフレームＮでＭＯＢ＿ＰＡＧ−ＡＤＶメッセージ４３６を受信する。ＭＳ  ４１０は、現在のフレーム内にＭＳ  ４１０に関連するＭＡＣアドレスハッシュに一致するＭＡＣアドレスハッシュを有するページングメッセージがないと決定する。さらに、ＭＳ  ４１０は、ローテーション順序でＭＳ  ４１０より後に位置するＭＡＣアドレスハッシュグループに対応するＭＡＣアドレスハッシュをフレームが含むと決定する。具体的には、ＭＳ  ４１０は、ＭＡＣアドレスハッシュグループ１に関連するＭＡＣアドレスハッシュを見る。ローテーション順序が［グループ０、グループ１、グループ２］であるので、ＭＳ  ４１０は、ページングメッセージを見落とすというリスクを伴わず、リッスン間隔４３４の第１のフレームＮの後に速やかに低電力状態に戻ってよいと決定する。
【００８５】
図８Ｂはさらに、（インデックスｋ＋１を有する）後続のリッスン間隔の間、ローテーション順序が［グループ２、グループ０、グループ１］であると決定されることを示している。再びＭＳ  ４１０は、後続のリッスン間隔の第１のフレーム（Ｎ’＝Ｎ＋Ｌ）内でＭＯＢ＿ＰＡＧ−ＡＤＶメッセージ４３６を受信する。この例では、ＭＯＢ＿ＰＡＧ−ＡＤＶメッセージ４３６は、グループ２に対応する２つのＭＡＣアドレスハッシュ値だけ、およびグループ０に対応する１つのＭＡＣアドレスハッシュ値だけを含み、それは、ＭＳ  ４１０のＭＡＣアドレスハッシュ「Ｈ」に一致しない。示されたように、第１のフレーム内のＭＯＢ＿ＰＡＧ−ＡＤＶメッセージは、グループ０の後に生じるグループ１に対応するＭＡＣアドレスハッシュ値をも含む。したがって、ＭＳ  ４１０は、この場合もやはり、第１のフレームの後すぐに低電力状態４３２に速やかに再び戻ることができる。
【００８６】
図８Ｃは、ページングメッセージを見落とすというリスクを伴わずに低電力状態４３２に戻っても安全であると推定可能となる前に、ＭＳ  ４１０がリッスン間隔の２つのフレームをリッスンしなければならない一例を示している。この例では、第１のフレームは、ＭＯＢ＿ＰＡＧ−ＡＤＶメッセージを含むが、メッセージは、ローテーション順序でＭＳ  ４１０より後に位置するＭＡＣアドレスハッシュグループに関連するＭＡＣアドレスハッシュを含まない。したがって、ＭＳ  ４１０は、リッスン間隔４３４の後続のフレームに進み、このフレームでＭＳ  ４１０は、ローテーション順序でＭＳ  ４１０より後に位置するＭＡＣアドレスハッシュグループ（グループ１）関連するＭＡＣアドレスハッシュを見つける。したがって、ＭＳ  ４１０は、ページングメッセージを見落とすというリスクなしに第２のフレームの後に速やかに低電力状態４３２に戻ることができる。
【００８７】
図８Ｄは、ＭＳ  ４１０に関連するＭＡＣアドレスハッシュに一致するＭＡＣアドレスハッシュを含むＭＯＢ＿ＰＡＧ−ＡＤＶメッセージ４３６をＭＳ  ４１０が受信する一例を示している。したがって、ＭＳ  ４１０は、ＭＯＢ  ＰＡＧ−ＡＤＶメッセージ４３６を処理し、メッセージによって示されたアクションを実行した。この例では、メッセージは、ＭＳ  ４１０がネットワークに入る予定であることを示すアクションコード０ｂ１０を含んでいたかもしれない。
【００８８】
上述の方法の様々な動作は、諸図に示されたミーンズプラスファンクション（ｍｅａｎｓ−ｐｌｕｓ−ｆｕｎｃｔｉｏｎ）ブロックに対応する様々なハードウェアおよび／またはソフトウェアコンポーネントおよび／またはモジュールによって実施されてよい。一般に、対応する相対のミーンズプラスファンクション図を有する図に示された方法がある場合、動作ブロックは、類似の番号付けを有するミーンズプラスファンクションブロックに対応する。たとえば、図６に示されたブロック６０２〜６０８は、図６Ａに示されたミーンズプラスファンクションブロック６０２Ａ〜６０８Ａに対応する。
【００８９】
本明細書では、用語「決定する」は、様々なアクションを包含する。たとえば、「決定する」は、計算、演算、処理、導出、調査、検索（たとえばテーブル、データベースまたは別のデータ構造体で調べる）、確認などを含んでよい。また、「決定する」は、受信（たとえば情報を受信する）、アクセス（たとえばメモリ内のデータへのアクセスする）などを含んでよい。また、「決定する」は、解決、選定、選択、確立などを含んでよい。
【００９０】
情報および信号は、様々な異なる技術および技法のいずれかを使用して表すことができ得る。たとえば、上記説明全体で参照され得るデータ、命令、コマンド、情報、信号などは、電圧、電流、電磁波、磁場または粒子、光場または粒子、あるいはその任意の組合せによって表すことができ得る。
【００９１】
本開示に関連して述べられた様々な例示的な論理ブロック、モジュールおよび回路は、汎用プロセッサ、ディジタル信号プロセッサ（ＤＳＰ：ｄｉｇｉｔａｌ  ｓｉｇｎａｌ  ｐｒｏｃｅｓｓｏｒ）、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、フィールドプログラマブルゲートアレイ（ＦＰＧＡ：ｆｉｅｌｄ  ｐｒｏｇｒａｍｍａｂｌｅ  ｇａｔｅ  ａｒｒａｙ）または他のプログラマブル論理デバイス、個別ゲートまたはトランジスタ論理、個別のハードウェアコンポーネント、あるいは本明細書に述べられた諸機能を実施するように設計されたその任意の組合せで実装され、または実施されてよい。汎用プロセッサは、マイクロプロセッサであってよいが、別法では、プロセッサは、任意の市販のプロセッサ、コントローラ、マイクロコントローラまたはステートマシンであってよい。プロセッサは、コンピューティングデバイスの組合せ、たとえばＤＳＰとマイクロプロセッサの組合せ、複数のマイクロプロセッサ、ＤＳＰコアと連携する１つまたは複数のマイクロプロセッサ、あるいは他の任意のこうした構成として実装することもでき得る。
【００９２】
本開示に関連して述べられた方法またはアルゴリズムの諸ステップは、ハードウェアで直接に、プロセッサによって実行されたソフトウェアモジュールで、またはその２つの組合せで実施されてもよい。ソフトウェアモジュールは、当技術分野で知られている任意の形の記憶媒体に常駐してよい。使用でき得る記憶媒体のいくつかの例には、ＲＡＭメモリ、フラッシュメモリ、ＲＯＭメモリ、ＥＰＲＯＭメモリ、ＥＥＰＲＯＭメモリ、レジスタ、ハードディスク、取外し可能ディスク、ＣＤ−ＲＯＭなどが含まれる。ソフトウェアモジュールは、単一の命令を備えることも、多くの命令を備えることもあり、いくつかの異なるコードセグメントに渡って、それぞれ異なるプログラム間および複数の記憶媒体間で分散されてよい。記憶媒体は、プロセッサが記憶媒体から情報を読み出し、そこに情報を書き込むことができるようにプロセッサに結合されてよい。別法では、記憶媒体は、プロセッサに一体化されてよい。
【００９３】
本明細書に開示された諸方法は、述べられた諸方法を達成するための１つまたは複数のステップあるいはアクションを備える。方法ステップおよび／またはアクションは、請求項の範囲から逸脱せずに互いに交換可能である。換言すると、ステップまたはアクションの特定の順序が指定されない限り、特定のステップおよび／またはアクションの順序および／または使用は、請求項の範囲から逸脱せずに修正することができ得る。
【００９４】
述べられた諸機能は、ハードウェア、ソフトウェア、ファームウェアまたはその任意の組合せで実装されてよい。ソフトウェアで実装される場合、諸機能は、コンピュータ読取り可能媒体内に１つまたは複数の命令として格納されてよい。記憶媒体は、コンピュータによってアクセスできる任意の使用可能な媒体であってよい。限定のためではなく、例を挙げると、こうしたコンピュータ読取り可能媒体は、ＲＡＭ、ＲＯＭ、ＥＥＰＲＯＭ、ＣＤ−ＲＯＭまたは他の光ディスク記憶装置、磁気ディスク記憶装置、または他の磁気ディスク記憶デバイス、あるいは所望のプログラムコードを命令またはデータ構造体の形で搬送または格納するのに使用可能であり、またコンピュータによってアクセス可能である他の任意の媒体を備えてよい。本明細書では、ディスク（ｄｉｓｋ、ｄｉｓｃ）は、コンパクトディスク（ＣＤ：ｃｏｍｐａｃｔ  ｄｉｓｃ）、レーザディスク、光ディスク、ディジタル多用途ディスク（ＤＶＤ：ｄｉｇｉｔａｌ  ｖｅｒｓａｔｉｌｅ  ｄｉｓｃ）、フロッピー（登録商標）ディスクおよびブルーレイ（登録商標）ディスクを含み、ただし、ディスク（ｄｉｓｋ）は通常、データを磁気的に再生し、ディスク（ｄｉｓｃ）はデータをレーザで光学的に再生する。
【００９５】
ソフトウェアまたは命令は、伝送媒体を介して送信することもでき得る。たとえば、ソフトウェアがウェブサイト、サーバ、あるいは同軸ケーブル、光ファイバケーブル、ツイストペア線、ディジタル加入者線（ＤＳＬ：ｄｉｇｉｔａｌ  ｓｕｂｓｃｒｉｂｅｒ  ｌｉｎｅ）、または赤外線、無線およびマイクロ波などの無線技術を使用した他の遠隔ソースから送信される場合、同軸ケーブル、光ファイバケーブル、ツイストペア線、ＤＳＬ、または赤外線、無線およびマイクロ波などの無線技術が、伝送媒体の定義に含まれる。
【００９６】
さらに、諸図に示されたものなど、本明細書に述べられた諸方法および技法を実施するためのモジュールおよび／または他の適切な手段は、移動デバイスおよび／または基地局によって適宜ダウンロードされ、かつ／または他のやり方で取得できることを理解されたい。たとえば、こうしたデバイスは、本明細書に述べられた諸方法を実施するための手段の転送を容易にするためにサーバに結合することができる。あるいは、本明細書に述べられた様々な方法は、記憶手段をデバイスに結合しまたは提供すると移動デバイスおよび／または基地局が様々な諸方法を取得できるように、記憶手段（たとえばランダムアクセスメモリ（ＲＡＭ）、読取り専用メモリ（ＲＯＭ）、コンパクトディスク（ＣＤ）やフロッピーディスクなどの物理的な記憶媒体など）によって提供することができる。さらに、本明細書に述べられた諸方法および技法をデバイスに提供するための他の任意の適切な技法を使用することができる。
【００９７】
特許請求の範囲は、上記に示された厳密な構成および構成要素に限定されないことを理解されたい。請求項の範囲から逸脱せずに、上述された諸方法および装置の構成、動作および詳細に様々な修正、変更および変形を行うことができ得る。
【００９８】
上記内容は、本発明の実施形態を対象としているが、本発明の基本範囲から逸脱せずに本発明の他のおよびさらなる実施形態を考案することができ得、その範囲は、添付の特許請求の範囲によって定められる。
以下に、本願出願の当初の特許請求の範囲に記載された発明を付記する。
［Ｃ１］
無線通信システム内でページングメッセージをスケジューリングする方法であって、アイドルモードの移動局のグループのページングパラメータをネゴシエートすることであって、前記ページングパラメータが、前記グループ内の移動局の共通のリッスン間隔を備えること、
前記グループ内の移動局をターゲットとするページングメッセージを受信すること、
リッスン間隔内に前記ページングメッセージを送信する順序を決定することであって、前記順序が、それぞれ異なるグループ内の移動局をターゲットとするページングメッセージを送信する順番を指定すること、および
前記決定された順序で前記ページングメッセージをグループ別に送信することを備える方法。
［Ｃ２］
リッスン間隔内に前記ページングメッセージを送信する順序を決定することが、
ターゲットとされたＭＳのＭＡＣアドレスから生成されたＭＡＣアドレスハッシュ値に基づいて、各ページングメッセージに関連するグループを決定することを備える、Ｃ１に記載の方法。
［Ｃ３］
リッスン間隔内に前記ページングメッセージを送信する順序を決定することが、
ターゲットとされたＭＳのＭＡＣアドレスから生成されたＭＡＣアドレスハッシュ値、および前記リッスン間隔の開始フレームのフレーム番号に基づいて、各ページングメッセージに関連するグループの順序を決定することを備える、Ｃ２に記載の方法。
［Ｃ４］
リッスン間隔内に前記ページングメッセージを送信する順序を決定することが、
ターゲットとされたＭＳのＭＡＣアドレスから生成されたＭＡＣアドレスハッシュ値、および前記リッスン間隔のインデックスに基づいて、各ページングメッセージに関連するグループを決定することを備える、Ｃ２に記載の方法。
［Ｃ５］
それぞれ異なる移動局グループのグループ番号Ｍを決定すること、および
１つまたは複数の移動局に前記グループ番号Ｍを送信すること
をさらに備える、Ｃ１に記載の方法。
［Ｃ６］
無線通信システム内で移動局によってページングメッセージについて監視する方法であって、
現在のリッスン間隔の間、ページングメッセージについて監視するためにアイドルモードの低電力状態から出ること、
前記移動局のグループ番号を決定すること、
現在のリッスン間隔内にページングメッセージを受信するグループ番号順を決定すること、および
前記移動局をターゲットとしておらず、また前記決定されたグループ番号順において、前記移動局について決定された前記グループ番号より後に生じるグループ内の移動局をターゲットとしている移動体ページ広告メッセージを前記リッスン間隔内のフレームが含むと決定することに応答して、前記現在のリッスン間隔の終了前に低電力状態に戻ることを備える方法。
［Ｃ７］
前記移動局のグループ番号を決定することが、
前記移動局のＭＡＣアドレスから生成されたＭＡＣアドレスハッシュ値に少なくとも部分的に基づいて、前記移動局のグループ番号を決定することを備える、Ｃ６に記載の方法。
［Ｃ８］
現在のリッスン間隔内にページングメッセージを受信するグループ番号順を決定することが、
それぞれ異なるリッスン間隔インデックスについて、それぞれ異なるグループ番号順が決定されるように、前記現在のリッスン間隔のインデックスに少なくとも部分的に基づいてグループ番号順を決定することを備える、Ｃ６に記載の方法。
［Ｃ９］
いくつかのそれぞれ異なる移動局グループを指定する番号Ｍを受信すること、および
前記移動局のＭＡＣアドレスから生成されたＭＡＣアドレスハッシュ値、および前記番号Ｍに少なくとも部分的に基づいて前記移動局の前記グループ番号を決定すること
をさらに備える、Ｃ６に記載の方法。
［Ｃ１０］
無線通信システム内でページングメッセージをスケジューリングするための装置であって、
アイドルモードの移動局のグループのページングパラメータをネゴシエートするための論理であって、前記ページングパラメータが、前記グループ内の移動局の共通のリッスン間隔を備える、論理と、
前記グループ内の移動局をターゲットとするページングメッセージを受信するための論理と、
リッスン間隔内に前記ページングメッセージを送信する順序を決定するための論理であって、前記順序が、それぞれ異なるグループ内の移動局をターゲットとするページングメッセージを送信する順番を指定する、論理と、
前記決定された順序で前記ページングメッセージをグループ別に送信するための論理とを備える装置。
［Ｃ１１］
リッスン間隔内に前記ページングメッセージを送信する順序を決定するための前記論理が、ターゲットとされたＭＳのＭＡＣアドレスから生成されたＭＡＣアドレスハッシュ値に基づいて、各ページングメッセージに関連するグループを決定するように構成される、Ｃ１０に記載の装置。
［Ｃ１２］
リッスン間隔内に前記ページングメッセージを送信する順序を決定するための前記論理が、ターゲットとされたＭＳのＭＡＣアドレスから生成されたＭＡＣアドレスハッシュ値、および前記リッスン間隔の開始フレームのフレーム番号に基づいて、各ページングメッセージに関連するグループの順序を決定するようにも構成される、Ｃ１１に記載の装置。
［Ｃ１３］
リッスン間隔内に前記ページングメッセージを送信する順序を決定するための前記論理が、ターゲットとされたＭＳのＭＡＣアドレスから生成されたＭＡＣアドレスハッシュ値、および前記リッスン間隔のインデックスに基づいて、各ページングメッセージに関連するグループを決定するようにも構成される、Ｃ１１に記載の装置。
［Ｃ１４］
それぞれ異なる移動局グループのグループ番号Ｍを決定するための論理と、
１つまたは複数の移動局に前記グループ番号Ｍを送信するための論理と
をさらに備える、Ｃ１０に記載の装置。
［Ｃ１５］
無線通信システム内で移動局によってページングメッセージについて監視するための装置であって、
現在のリッスン間隔の間、ページングメッセージについて監視するためにアイドルモードの低電力状態から出るための論理と、
前記移動局のグループ番号を決定するための論理と、
現在のリッスン間隔内にページングメッセージを受信するグループ番号順を決定するための論理と、
前記移動局をターゲットとしておらず、また前記決定されたグループ番号順において、前記移動局について決定された前記グループ番号より後に生じるグループ内の移動局をターゲットとしている移動体ページ広告メッセージを前記リッスン間隔内のフレームが含むと決定することに応答して、前記現在のリッスン間隔の終了前に低電力状態に戻るための論理とを備える装置。
［Ｃ１６］
前記移動局のグループ番号を決定するための前記論理が、前記移動局のＭＡＣアドレスから生成されたＭＡＣアドレスハッシュ値に少なくとも部分的に基づいて、前記移動局のグループ番号を決定するように構成される、Ｃ１５に記載の装置。
［Ｃ１７］
現在のリッスン間隔内にページングメッセージを受信するグループ番号順を決定するための前記論理が、それぞれ異なるリッスン間隔インデックスについて、それぞれ異なるグループ番号順が決定されるように、前記現在のリッスン間隔のインデックスに少なくとも部分的に基づいてグループ番号順を決定するように構成される、Ｃ１５に記載の装置。
［Ｃ１８］
いくつかのそれぞれ異なる移動局グループを指定する番号Ｍを受信するための論理と、
前記移動局のＭＡＣアドレスから生成されたＭＡＣアドレスハッシュ値、および前記番号Ｍに少なくとも部分的に基づいて前記移動局の前記グループ番号を決定するための論理と
をさらに備える、Ｃ１５に記載の装置。
［Ｃ１９］
無線通信システム内でページングメッセージをスケジューリングするための装置であって、
アイドルモードの移動局のグループのページングパラメータをネゴシエートするための手段であって、前記ページングパラメータが、前記グループ内の移動局の共通のリッスン間隔を備える、手段と、
前記グループ内の移動局をターゲットとするページングメッセージを受信するための手段と、
リッスン間隔内に前記ページングメッセージを送信する順序を決定するための手段であって、前記順序が、それぞれ異なるグループ内の移動局をターゲットとするページングメッセージを送信する順番を指定する、手段と、
前記決定された順序で前記ページングメッセージをグループ別に送信するための手段とを備える装置。
［Ｃ２０］
リッスン間隔内に前記ページングメッセージを送信する順序を決定するための前記手段が、ターゲットとされたＭＳのＭＡＣアドレスから生成されたＭＡＣアドレスハッシュ値に基づいて、各ページングメッセージに関連するグループを決定するように構成される、Ｃ１９に記載の装置。
［Ｃ２１］
リッスン間隔内に前記ページングメッセージを送信する順序を決定するための前記手段が、ターゲットとされたＭＳのＭＡＣアドレスから生成されたＭＡＣアドレスハッシュ値、および前記リッスン間隔の開始フレームのフレーム番号に基づいて、各ページングメッセージに関連するグループの順序を決定するようにも構成される、Ｃ２０に記載の装置。
［Ｃ２２］
リッスン間隔内に前記ページングメッセージを送信する順序を決定するための前記手段が、ターゲットとされたＭＳのＭＡＣアドレスから生成されたＭＡＣアドレスハッシュ値、および前記リッスン間隔のインデックスに基づいて、各ページングメッセージに関連するグループを決定するようにも構成される、Ｃ２０に記載の装置。
［Ｃ２３］
それぞれ異なる移動局グループのグループ番号Ｍを決定するための手段と、
１つまたは複数の移動局に前記グループ番号Ｍを送信するための手段と
をさらに備える、Ｃ１９に記載の装置。
［Ｃ２４］
無線通信システム内で移動局によってページングメッセージについて監視するための装置であって、
現在のリッスン間隔の間、ページングメッセージについて監視するためにアイドルモードの低電力状態から出るための手段と、
前記移動局のグループ番号を決定するための手段と、
現在のリッスン間隔内にページングメッセージを受信するグループ番号順を決定するための手段と、
前記移動局をターゲットとしておらず、また前記決定されたグループ番号順において、前記移動局について決定された前記グループ番号より後に生じるグループ内の移動局をターゲットとしている移動体ページ広告メッセージを前記リッスン間隔内のフレームが含むと決定することに応答して、前記現在のリッスン間隔の終了前に低電力状態に戻るための手段とを備える装置。
［Ｃ２５］
前記移動局のグループ番号を決定するための前記手段が、前記移動局のＭＡＣアドレスから生成されたＭＡＣアドレスハッシュ値に少なくとも部分的に基づいて、前記移動局のグループ番号を決定するように構成される、Ｃ２４に記載の装置。
［Ｃ２６］
現在のリッスン間隔内にページングメッセージを受信するグループ番号順を決定するための前記手段が、それぞれ異なるリッスン間隔インデックスについて、それぞれ異なるグループ番号順が決定されるように、前記現在のリッスン間隔のインデックスに少なくとも部分的に基づいてグループ番号順を決定するように構成される、Ｃ２４に記載の装置。
［Ｃ２７］
いくつかのそれぞれ異なる移動局グループを指定する番号Ｍを受信するための手段と、
前記移動局のＭＡＣアドレスから生成されたＭＡＣアドレスハッシュ値、および前記番号Ｍに少なくとも部分的に基づいて前記移動局の前記グループ番号を決定するための手段と
をさらに備える、Ｃ２４に記載の装置。
［Ｃ２８］
１つまたは複数のプロセッサによって実行可能な命令がその中に格納されたコンピュータ読取り可能媒体を備える、無線通信システム内でページングメッセージをスケジューリングするためのコンピュータプログラム製品であって、前記命令が、
アイドルモードの移動局のグループのページングパラメータをネゴシエートするための命令であって、前記ページングパラメータが、前記グループ内の移動局の共通のリッスン間隔を備える、命令と、
前記グループ内の移動局をターゲットとするページングメッセージを受信するための命令と、
リッスン間隔内に前記ページングメッセージを送信する順序を決定するための命令であって、前記順序が、それぞれ異なるグループ内の移動局をターゲットとするページングメッセージを送信する順番を指定する、命令と、
前記決定された順序で前記ページングメッセージをグループ別に送信するための命令と
を備える、コンピュータプログラム製品。
［Ｃ２９］
リッスン間隔内に前記ページングメッセージを送信する順序を決定するための前記命令が、
ターゲットとされたＭＳのＭＡＣアドレスから生成されたＭＡＣアドレスハッシュ値に基づいて、各ページングメッセージに関連するグループを決定するための命令を備える、Ｃ２８に記載のコンピュータプログラム製品。
［Ｃ３０］
リッスン間隔内に前記ページングメッセージを送信する順序を決定するための前記命令が、
ターゲットとされたＭＳのＭＡＣアドレスから生成されたＭＡＣアドレスハッシュ値、および前記リッスン間隔の開始フレームのフレーム番号に基づいて、各ページングメッセージに関連するグループの順序を決定するための命令を備える、Ｃ２９に記載のコンピュータプログラム製品。
［Ｃ３１］
リッスン間隔内に前記ページングメッセージを送信する順序を決定するための前記命令が、
ターゲットとされたＭＳのＭＡＣアドレスから生成されたＭＡＣアドレスハッシュ値、および前記リッスン間隔のインデックスに基づいて、各ページングメッセージに関連するグループを決定するための命令を備える、Ｃ２９に記載のコンピュータプログラム製品。
［Ｃ３２］
前記命令が、
それぞれ異なる移動局グループのグループ番号Ｍを決定するための命令と、
１つまたは複数の移動局に前記グループ番号Ｍを送信するための命令とをさらに備える、Ｃ２８に記載のコンピュータプログラム製品。
［Ｃ３３］
１つまたは複数のプロセッサによって実行可能な命令がその中に格納されたコンピュータ読取り可能媒体を備える、無線通信システム内で移動局によってページングメッセージを監視するためのコンピュータプログラム製品であって、前記命令が、
現在のリッスン間隔の間、ページングメッセージについて監視するためにアイドルモードの低電力状態から出るための命令と、
前記移動局のグループ番号を決定するための命令と、
現在のリッスン間隔内にページングメッセージを受信するグループ番号順を決定するための命令と、
前記移動局をターゲットとしておらず、また前記決定されたグループ番号順において、前記移動局について決定された前記グループ番号より後に生じるグループ内の移動局をターゲットとしている移動体ページ広告メッセージを前記リッスン間隔内のフレームが含むと決定することに応答して、前記現在のリッスン間隔の終了前に低電力状態に戻るための命令とを備える、コンピュータプログラム製品。
［Ｃ３４］
前記移動局のグループ番号を決定するための前記命令が、
前記移動局のＭＡＣアドレスから生成されたＭＡＣアドレスハッシュ値に少なくとも部分的に基づいて、前記移動局のグループ番号を決定するための命令を備える、Ｃ３３に記載のコンピュータプログラム製品。
［Ｃ３５］
現在のリッスン間隔内にページングメッセージを受信するグループ番号順を決定するための前記命令が、
それぞれ異なるリッスン間隔インデックスについて、それぞれ異なるグループ番号順が決定されるように、前記現在のリッスン間隔のインデックスに少なくとも部分的に基づいてグループ番号順を決定するための命令を備える、Ｃ３３に記載のコンピュータプログラム製品。
［Ｃ３６］
前記命令が、
いくつかのそれぞれ異なる移動局グループを指定する番号Ｍを受信するための命令と、
前記移動局のＭＡＣアドレスから生成されたＭＡＣアドレスハッシュ値、および前記番号Ｍに少なくとも部分的に基づいて前記移動局の前記グループ番号を決定するための命令とをさらに備える、Ｃ３３に記載のコンピュータプログラム製品。
【図１】
0005474990.tif 000005
【図２】
0005474990.tif 000006
【図３】
0005474990.tif 000007
【図４】
0005474990.tif 000008
【図５Ａ】
0005474990.tif 000009
【図５Ｂ】
0005474990.tif 000010
【図６】
0005474990.tif 000011
【図６Ａ】
0005474990.tif 000012
【図７】
0005474990.tif 000013
【図８Ａ】
0005474990.tif 000014
【図８Ｂ】
0005474990.tif 000015
【図８Ｃ】
0005474990.tif 000016
【図８Ｄ】
0005474990.tif 000017